(57)【特許請求の範囲】
【請求項１】
天面内板と後面板と底面板と正面板と天面外板とを順に、それぞれの横折り目線、切り目入り横折り目線を介して連接して、該天面外板の左右端にそれぞれ縦折り目線を介して略中間に縦折り目線と端辺に半円形状の口栓係合用切り欠き（２８Ｓ）を有する天面外板左フラップと天面外板右フラップを連接してなるブランクを、それぞれの横折り目線を内折りし、該天面外板の内面と天面内板の外面とを貼り合わせてなることを特徴とする口栓付ゲーブルトップ型紙容器のマルチパックカートン。
【請求項２】
前記天面内板の左右端に縦折り目線を介して天面内板左フラップ、天面内板右フラップを連設してなることを特徴とする請求項１記載の口栓付ゲーブルトップ型紙容器のマルチパックカートン。
【請求項３】
前記後面板と正面板の、底面板と連設する位置に複数個の横方向の切り込み線を設け、該横方向の切り込み線の両端より縦方向の切り込み線を施してなる請求項１または２記載の口栓付ゲーブルトップ型紙容器のマルチパックカートン。
【発明の詳細な説明】
【０００１】
【発明の属する技術分野】
本発明は複数個の口栓付ゲーブルトップ型紙容器を収納包装し、且つ掴持するための紙容器（ホルダー）に関する。
【０００２】
【従来の技術】
近年、廃棄物処理を主体とした環境問題の対応や製造コストの面から、液体容器として紙製容器が多く使用され、特に酒パックに代表される口栓付きゲーブルトップ（切妻屋根）型の紙製液体容器が酒のみならず、様々な液体収納用として使用されるようになってきた。例えば、上記環境問題や製造コスト面の利点を生かしてウイスキー、ワイン等の飲料の他に、シャンプー、リンス等の生活用品、ウィンドーウォッシャー液、自動車用エンジンオイル等用の自動車用品などがある。
【０００３】
このような背景から、複数個の口栓付ゲーブルトップ型紙容器を収納、包装し、手で簡単に持ち運びできる紙製のホルダーが望まれている。
【０００４】
従来より、上記要望に答える類似のものとして、実公昭５９−４３２１６号に提案されている２パックのゲーブルトップ型紙容器を一つに纏める付属容器が知られている。
この提案は、図５に示すように、容器本体（１０）を二つのピュアパック（Ａ、Ｂ）の屋根上部の各隣接斜面がなす谷間に嵌め込み載置可能な形状に形成すると共に、略Ｖ字状を呈する底部の左右斜辺（１２ａ、１３ａ）に、夫々少なくとも裏面形状に相応した三角形状を有する舌片（１２、１３、１５）を、該本体（１０）側へ折り曲げ可能に設け、斜面を左右から抱え込むようにして該舌片を屋根上部の左右窪み（Ｄ、Ｅ）内に折り込み挿置する事により、容器本体（１０）２パックのピュアパック（Ａ、Ｂ）間に着脱自在に取り付けるよう構成した付属容器としたものである。
【０００５】
しかしながら、上記提案の容器は、手で簡単に持ち運びできるものではなく、例えこの付属容器本体（１０）を手で持ったとしても２パックのピュアパック（Ａ、Ｂ）の内容物（液体飲料等）の重さにより、ピュアパック（Ａ、Ｂ）が付属容器本体（１０）から抜け落ちるため、２パックの紙容器毎手で持たざるを得ないものであった。
【０００６】
【発明が解決しようとする課題】
本発明は、かかる従来技術の問題点を解決するものであり、その課題とするところは、複数個の口栓付ゲーブルトップ型紙容器を収納、包装し且つ容易に脱着可能で、手で簡単に持ち運びでき、コスト面、環境（特に廃棄物処理）面でも優位な紙製の容器（ホルダー）の提供にある。
【０００７】
【課題を解決するための手段】
本発明に於いて上記課題を達成するために、まず請求項１の発明では、図１に示すように、天面内板（２６）と後面板（２０）と底面板（２４）と正面板（２２）と天面外板（２６）とを順に、それぞれの横折り目線（ｈ）を介して連接して、該天面外板（２８）の左右端にそれぞれ縦折り目線（ｇ）を介して略中間に縦折り目線（ｇ）と端辺に半円形状の口栓係合用切り欠き（２８Ｓ）を有する天面外板左フラップ（２８ｒ）と天面外板右フラップ（２８ｘ）を連接してなるブランク（２）を、図２に示すように、それぞれの横折り目線（ｈ）を内折りし、該天面外板（２８）の内面の接着面（２８ａ）と天面内板（２６）の外面とを貼り合わせてなることを特徴とする口栓付ゲーブルトップ型紙容器のマルチパックカートンとしたものである。
【０００８】
また、請求項２の発明では、図１に示すように、前記天面内板（２６）の左右端に縦折り目線（ｇ）を介して天面内板左フラップ（２６ｘ）、天面内板右フラップ（２６ｒ）を連設してなることを特徴とする請求項１記載の口栓付ゲーブルトップ型紙容器のマルチパックカートンとしたものである。
【０００９】
また、請求項３の発明では、前記後面板（２０）と正面板（２２）の、底面板（２４）と連設する位置に複数個の横方向の切り込み線（Ｌ）を設け、該横方向の切り込み線（Ｌ）の両端より縦方向の切り込み線（Ｋ）を施してなる請求項１または２記載の口栓付ゲーブルトップ型紙容器のマルチパックカートンとしたものである。
【００１０】
すなわち、上記にて得られた口栓付ゲーブルトップ型紙容器のマルチパックカートン（１）は、図３に示すように、例えば２パックの口栓付ゲーブルトップ型紙容器（３０）の口栓（３４）に、天面外板（２８）の縦折り目線（ｈ）を介して口栓係合用切り欠き（２８Ｓ）を嵌め込むことによって、図４に示すような、課題を解決する口栓付ゲーブルトップ型紙容器のマルチパックカートン（１）を得るものである。
【００１１】
【発明の実施の形態】
以下本発明の実施の形態を説明する。
本発明の口栓付ゲーブルトップ型紙容器のマルチパックカートンは、まず、図１に示すように、上下端それぞれに略半円形状の把手用切り欠き（２６Ｒ）を有する天面内板（２６）と後面板（２０）と底面板（２０）と正面板（２２）と上下端それぞれに略半円形状の把手用切り欠き（２８Ｒ）を有する天面外板（２８）とを順に、それぞれの横折り目線（ｉ）、横折り目線（ｊ）を介して連接して、該天面内板（２６）の左右端に縦折り目線（ｇ）を介して天面内板左フラップ（２６ｘ）、天面内板右フラップ（２６ｒ）を連接し、該天面外板（２８）の左右端に縦折り目線（ｇ）を介して略中間に縦折り目線（ｈ）と端辺に半円の口栓係合用切り欠き（２８Ｓ）を有する天面外板左フラップ（２８ｘ）と天面外板右フラップ（２８ｒ）を連接してなる板紙製のブランク（２）を作製する。
次いで、このブランク（２）を図２に示すように、前記底面板（２４）の上下端の横折り目線（ｊ）に従って内側直角に折り、前記天面内板（２６）の上端の横折り目線（ｉ）に従って内側矢印（Ｐ）方向に直角に折り、内面に接着面（２８ａ）を有する天面外板（２８）の下端の横折り目線（ｉ）に従って内側矢印（Ｏ）方向にに折り、その接着面（２８ａ）と天面内板（２６）の外面とを接着剤等を介して貼り合わせることによって、所望の口栓付ゲーブルトップ型紙容器のマルチパックカートン（１）を得るものである。
【００１２】
ここで、図１に示すように、正面板（２２）および後面板（２０）は、夫々上部山形、下部山形の６角形が好ましく、正面板（２２）の下端辺（横折り目線（ｊ）に相当）の長さは、収納する口栓付ゲーブルトップ型紙容器の個数に比例し、口栓付ゲーブルトップ型紙容器の側面の底辺のほぼ個数倍とすることが好ましい。
同様に正、後両面板（２２、２０）の上下部山形の頂辺（横折り目線（ｉ）に相当）の長さも、収納する口栓付ゲーブルトップ型紙容器の個数によって変わるものである。
【００１３】
このマルチパックカートン（１）に使用される板紙としては、口栓付ゲーブルトップ型紙容器の大きさや収納個数によっても異なるが、坪量２６０ｇ／ｍ2 〜４５０ｇ／ｍ2 のコートボール、ノーコートボール、クラフトライナー、コートマニラ、ノーコートマニラ、チップボール、黄ボールなどが好ましい。
【００１４】
また、天面外板（２８）の内面の接着面（２８ａ）形成には、手作業でマルチパックカートン（１）を組み立て、セットするのには剥離紙の付いた粘着剤（感圧接着剤）が好ましく、機械組み立て、セットには、前記粘着剤の他熱溶融性感熱接着剤でもよい。
【００１５】
上記のようにして得られた板紙製のマルチパックカートン（１）に、図３に示すように、例えば２パックの口栓付ゲーブルトップ型紙容器（３０）を収納、セットするに際して、先ず図４に示すように、天面内板（２６）の左右端に連接した左右フラップ（２６ｘ、２６ｒ）にて、略同形の口栓付ゲーブルトップ型紙容器（３０）のシール部（３２）を抑え込み、次いで、図３に示すように、天面外板（２８）の左右端に連接した左右フラップ（２８ｘ、２８ｒ）の縦折り目線（ｈ）を介して外側に折り、縦折り目線（ｇ）を介して矢印（Ｑ）方向内側に折りながら、口栓係合用切り欠き（２８Ｓ）を口栓付ゲーブルトップ型紙容器（３０）の口栓（３４）に嵌め込むことによって、口栓付ゲーブルトップ型紙容器（３０）のシール部（３２）を天面内板（２６）の左右フラップ（２６ｘ、２６ｒ）と天面外板（２８）の左右フラップ（２８ｘ、２８ｒ）でしっかり挟み込む形態となるので、口栓付ゲーブルトップ型紙容器（３０）を強固に固定することになり、把手用切り欠き（２８Ｒ）に手指をかけて、商品陳列台から取り上げたり、商品を持ち運ぶ際に外れることがないものである。
【００１６】
また、上記のように、天面外板右フラップ（２８ｒ）および天面外板左フラップ（２８ｘ）の略中央に縦折り目線（ｈ）を設けることによって、口栓付ゲーブルトップ型紙容器（３０）の口栓（３４）への着脱を容易にし、且つ各々のこの縦折り目線（ｈ）はスプリングの役目を果たすので、より強固に口栓付ゲーブルトップ型紙容器を固定することができるものである。
【００１７】
また、図１に示すように、後面板（２０）の正面板（２２）の、底面板（２４）と隣接する位置に複数個の横方向の切り込み線（Ｌ）を設け、その横方向の切り込み線（Ｌ）の両端より縦方向の切り込み線（Ｋ）を施してなるマルチパックカートン（１）としたものであって、収納する口栓付ゲーブルトップ型紙容器（３０）の個数に応じて、縦および横方向の切り込み線（Ｋ、Ｌ）の数が決まるものである。
例えば、図４に示すように、縦および横方向の切り込み線（Ｋ、Ｌ）は、収納する口栓付ゲーブルトップ型紙容器（３０）が２パックの場合で、正面板（２２）の下部に２個、後面板（２０）の下部に２個設けてあるように、ｎパックの場合は合計２ｎ個とすることが好ましい。
【００１８】
これは、口栓付ゲーブルトップ型紙容器（３０）に液体内容物を収納した場合、この紙容器の下部に胴膨れが発生することがあり、その拡がろうとする力がげるところがないため、本発明の口栓付ゲーブルトップ型紙容器のマルチパックカートンを破断する危険性がある。そこで上記の縦および横方向の切り込み線（Ｋ、Ｌ）を施すことによって、切り込まれた部分は外方へ多少拡がることが可能であり、もし、紙容器の下部に胴膨れが発生したとしても、その力をこの切り込まれた部分で吸収する効果が有するものである。
【００１９】
【発明の効果】
本発明は以上の構成であるから、下記に示す如き効果がある。
即ち、複数個の口栓付ゲーブルトップ型紙容器を収納、包装する紙製の容器において、天面内板の左右フラップで、口栓付ゲーブルトップ型紙容器のシール部を抑え込み、天面外板の左右フラップの一方の縦折り目線から外側に折り、他方の縦折り目線から内側に折りながら、口栓係合用切り欠きを口栓付ゲーブルトップ型紙容器の口栓に嵌め込むことによって、口栓付ゲーブルトップ型紙容器のシール部を天面内板の左右フラップと天面外板の左右フラップでしっかり挟み込む形態となるので、口栓付ゲーブルトップ型紙容器を強固に固定することになり、把手用切り欠きに手指をかけて持ち運ぶ際に、外れることがなく、容易に持ち運びができる口栓付ゲーブルトップ型紙容器のマルチパックカートンの提供ができる。
【００２０】
また、天面外板の左右フラップの略中央に、縦折り目線を設けてあるので、口栓付ゲーブルトップ型紙容器の口栓からの着脱が容易にできる効果がある。
【００２１】
また、後面板と正面板の、底面板と隣接する位置に複数個の横方向の切り込み線を設け、その切り込み線の両端に縦方向の切り込み線を施してあるので、口栓付ゲーブルトップ型紙容器の胴膨れを吸収することができ、マルチパックカートンの破断を防ぐ効果がある。
【００２２】
さらにまた、紙製のマルチパックカートンであるので、コスト面と環境（特に廃棄物処理）面で優位である効果がある。
【図面の簡単な説明】
【図１】本発明の一実施の形態を示すマルチパックカートンの展開図である。
【図２】本発明の一実施の形態を示すマルチパックカートンの組み立てを説明する斜視図である。
【図３】本発明の一実施の形態を示すマルチパックカートンへ口栓付ゲーブルトップ型紙容器のセットを説明するトン斜視図である。
【図４】本発明のマルチパックカートンへ口栓付ゲーブルトップ型紙容器がセットされた状態を示す一事例の斜視図である。
【図５】本発明に係わる従来のマルチパックカートン（付属容器）を説明する斜視図である。
【符号の説明】
１‥‥マルチパックカートン
２‥‥ブランク
１０‥‥容器本体
１２、１３、１５‥‥舌片
１２ａ‥‥左斜辺
１３ａ‥‥右斜辺
２０‥‥後面板
２２‥‥正面板
２４‥‥底面板
２６‥‥天面内板
２６Ｒ‥‥天面内板の把手用切り欠き
２６ｒ‥‥天面内板右フラップ
２６ｘ‥‥天面内板左フラップ
２８‥‥天面外板
２８Ｒ‥‥天面外板の把手用切り欠き
２８Ｓ‥‥口栓係合用切り欠き
２８ａ‥‥接着面
２８ｒ‥‥天面外板右フラップ
２８ｘ‥‥天面外板左フラップ
３０‥‥口栓付ゲーブルトップ型紙容器
３２‥‥シール部
３４‥‥口栓
Ａ、Ｂ‥‥ゲーブルトップ型紙容器
Ｄ‥‥左窪み
Ｅ‥‥右窪み
Ｏ、Ｐ、Ｑ‥‥折り方向
Ｋ‥‥縦方向の切り込み線
Ｌ‥‥横方向の切り込み線
ｇ‥‥縦折り目線
ｈ‥‥左右天面板フラップの縦折り目線
ｉ‥‥天面外板と正面板間の横折り目線
ｊ‥‥天面内板と後面板間の横折り目線
【図１】
0003937499.tif 000002
【図２】
0003937499.tif 000003
【図３】
0003937499.tif 000004
【図４】
0003937499.tif 000005
【図５】
0003937499.tif 000006